(57)【要約】【課題】コマ送り時又はインデックス再生時に動画を表示する際に、その動画の全体の内容が把握できるように表示可能にする。【解決手段】コマ送り時又はインデックス再生時に動画を表示する際に、動画全体の内容が把握できるように動画に関連する画像を画像モニタに表示させる。即ち、動画を構成する全コマをｎ等分し、このｎ等分した各コマ群から１コマずつ取り出して、動画を表すｎコマの代表画像を、所定のインターバルで画像モニタに繰り返しコマ送り表示させるようにしている。【選択図】  図８
2008017500.tif 000002
【特許請求の範囲】
【請求項１】
動画が記録されたファイルが格納された記録媒体から任意のファイルを選択する選択手段と、
前記選択手段によって選択されたファイルの動画を構成する全コマをｎ等分し、このｎ等分した各コマ群から１コマずつ取り出す手段と、
前記ｎ等分した各コマ群から取り出したｎコマの画像を、所定のインターバルで画像モニタに繰り返しコマ送り表示させる第１の表示制御手段と、
前記選択手段によって選択されたファイルの動画の再生を指示する指示手段と、
前記指示手段によって動画再生が指示されると、前記選択手段によって選択されたファイルに記録された動画を構成する全コマの再生を実行させ、前記動画を前記画像モニタに表示させる第２の表示制御手段と、
を備えたことを特徴とする画像再生装置。
【請求項２】
動画が記録されたファイルが格納された記録媒体から任意のファイルを選択する選択手段と、
前記選択手段によって選択されたファイルの動画を構成する全コマから最初の複数コマと最後の複数コマを除いた残りのコマをｎ等分し、このｎ等分した各コマ群から１コマずつ取り出す手段と、
前記ｎ等分した各コマ群から取り出したｎコマの画像を、所定のインターバルで画像モニタに繰り返しコマ送り表示させる第１の表示制御手段と、
前記選択手段によって選択されたファイルの動画の再生を指示する指示手段と、
前記指示手段によって動画再生が指示されると、前記選択手段によって選択されたファイルに記録された動画を構成する全コマの再生を実行させ、前記動画を前記画像モニタに表示させる第２の表示制御手段と、
を備えたことを特徴とする画像再生装置。
【請求項３】
前記記録媒体には静止画が記録されたファイルも格納され、前記第１の表示制御手段は、前記選択手段によって選択されたファイルが静止画の場合には、該静止画を画像モニタに表示させることを特徴とする請求項１又は２に記載の画像再生装置。
【請求項４】
静止画が記録されたファイルと動画が記録されたファイルとが混在して格納された記録媒体から複数のファイルを選択し、該複数のファイルの静止画又は動画に対応する複数コマからなるインデックス画像の表示を指令するインデックス表示指令手段と、
前記選択された複数のファイルに動画のファイルが含まれている場合に、該動画のファイルの動画を構成する全コマをｎ等分し、このｎ等分した各コマ群から１コマずつ取り出す手段と、
前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち動画に対応するコマについては、前記ｎ等分した各コマ群から取り出したｎコマの画像を、所定のインターバルで画像モニタに繰り返しコマ送り表示させて動画であることが認識可能に表示させる表示制御手段と、
を備えたことを特徴とする画像再生装置。
【請求項５】
静止画が記録されたファイルと動画が記録されたファイルとが混在して格納された記録媒体から複数のファイルを選択し、該複数のファイルの静止画又は動画に対応する複数コマからなるインデックス画像の表示を指令するインデックス表示指令手段と、
前記選択された複数のファイルに動画のファイルが含まれている場合に、該動画のファイルの動画を構成する全コマから最初の複数コマと最後の複数コマを除いた残りのコマをｎ等分し、このｎ等分した各コマ群から１コマずつ取り出す手段と、
前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち動画に対応するコマについては、前記ｎ等分した各コマ群から取り出したｎコマの画像を、所定のインターバルで画像モニタに繰り返しコマ送り表示させて動画であることが認識可能に表示させる表示制御手段と、
を備えたことを特徴とする画像再生装置。
【請求項６】
前記画像モニタに表示されたインデックス画像上で任意の静止画又は動画のファイルを選択する選択手段と、
前記選択手段によって静止画のファイルが選択されると、そのファイルの静止画のみを前記画像モニタに拡大表示し、動画のファイルが選択されると、そのファイルの動画を前記画像モニタに拡大表示させる手段と、
を備えたことを特徴とする請求項４又は５に記載の画像再生装置。
【請求項７】
前記ｎコマの画像は、予め作成されて動画のファイルに関連付けて前記記録媒体に記録されていることを特徴とする請求項１乃至６のいずれかに記載の画像再生装置。
【請求項８】
請求項３乃至７のいずれかに記載の画像再生装置を有し、静止画撮影モード又は動画撮影モードに応じて前記記録媒体に静止画又は動画を記録することを特徴とするデジタルカメラ。
【請求項９】
動画が記録されたファイルを取得する工程と、
前記取得したファイルの動画を構成する全コマをｎ等分し、このｎ等分した各コマ群から１コマずつ取り出す工程と、
前記ｎ等分した各コマ群から取り出したｎコマの画像を、所定のインターバルで繰り返しコマ送り表示させる工程と、
前記所定のインターバルで繰り返しコマ送り表示されている状態で動画再生を指示する工程と、
前記動画再生が指示されると、前記取得されたファイルに記録された動画を構成する全コマの再生を実行させ、前記動画を表示させる工程と、
を含むことを特徴とする画像再生方法。
【請求項１０】
動画が記録されたファイルを取得する工程と、
前記取得したファイルの動画を構成する全コマから最初の複数コマと最後の複数コマを除いた残りのコマをｎ等分し、このｎ等分した各コマ群から１コマずつ取り出す工程と、
前記ｎ等分した各コマ群から取り出したｎコマの画像を、所定のインターバルで繰り返しコマ送り表示させる工程と、
前記所定のインターバルで繰り返しコマ送り表示されている状態で動画再生を指示する工程と、
前記動画再生が指示されると、前記取得されたファイルに記録された動画を構成する全コマの再生を実行させ、前記動画を表示させる工程と、
を含むことを特徴とする画像再生方法。
【請求項１１】
静止画が記録されたファイルを取得する工程を含み、前記取得したファイルが静止画の場合には、該静止画を表示させることを特徴とする請求項９又は１０に記載の画像再生方法。
【請求項１２】
静止画が記録されたファイルと動画が記録されたファイルとが混在する複数のファイルに基づいて、該複数のファイルの静止画又は動画に対応する複数コマからなるインデックス画像の表示を指令する工程と、
前記選択された複数のファイルに動画のファイルが含まれている場合に、該動画のファイルの動画を構成する全コマをｎ等分し、このｎ等分した各コマ群から１コマずつ取り出す工程と、
前記インデックス画像の表示が指令されると、前記複数のファイルに基づいて前記インデックス画像を構成し、該インデックス画像を表示させる工程であって、前記インデックス画像を構成する複数コマのうち動画に対応するコマについては、前記ｎ等分した各コマ群から取り出したｎコマの画像を、所定のインターバルで繰り返しコマ送り表示させて動画であることが認識可能に表示させる工程と、
を含むことを特徴とする画像再生方法。
【請求項１３】
静止画が記録されたファイルと動画が記録されたファイルとが混在する複数のファイルに基づいて、該複数のファイルの静止画又は動画に対応する複数コマからなるインデックス画像の表示を指令する工程と、
前記選択された複数のファイルに動画のファイルが含まれている場合に、該動画のファイルの動画を構成する全コマから最初の複数コマと最後の複数コマを除いた残りのコマをｎ等分し、このｎ等分した各コマ群から１コマずつ取り出す工程と、
前記インデックス画像の表示が指令されると、前記複数のファイルに基づいて前記インデックス画像を構成し、該インデックス画像を表示させる工程であって、前記インデックス画像を構成する複数コマのうち動画に対応するコマについては、前記ｎ等分した各コマ群から取り出したｎコマの画像を、所定のインターバルで繰り返しコマ送り表示させて動画であることが認識可能に表示させる工程と、
を含むことを特徴とする画像再生方法。
【請求項１４】
前記表示されたインデックス画像上で任意の静止画又は動画のファイルを選択する工程と、
前記インデックス画像上で静止画のファイルが選択されると、そのファイルの静止画のみを拡大表示し、動画のファイルが選択されると、そのファイルの動画を拡大表示させる工程と、
を含むことを特徴とする請求項１２又は１３に記載の画像再生方法。
【請求項１５】
前記ｎコマの画像は、予め作成されて動画のファイルに関連付けて記録されていることを特徴とする請求項９乃至１４のいずれかに記載の画像再生方法。
【請求項１６】
静止画を撮影する静止画撮影モード又は動画を撮影する動画撮影モードを選択する工程と、
前記静止画撮影モードが選択され、かつ撮影指示入力があると、静止画を撮影して静止画が記録されたファイルを生成して記録する工程と、
前記動画撮影モードが選択され、かつ撮影指示入力があると、動画を撮影して動画が記録されたファイルを生成して記録する工程と、
請求項１１乃至１５のいずれかに記載の画像再生方法と、
を含むことを特徴とする画像記録再生方法。
【発明の詳細な説明】
【技術分野】
【０００１】
本発明は画像再生装置、画像再生方法、画像記録再生方法及びデジタルカメラに係り、特に動画を再生するか否かの選択が容易な画像再生装置、画像再生方法、画像記録再生方法及びデジタルカメラに関する。
【背景技術】
【０００２】
近年、デジタルカメラにも動画撮影機能が付き、静止画及び動画の記録再生ができるようになってきている。
【０００３】
この種のデジタルカメラにおいて、静止画が記録されたファイルと動画が記録されたファイルとが混在して格納されたメモリカードから任意のファイルを選択し、静止画又は動画を再生する場合には、画像モニタにインデックス画像を表示し、このインデックス画像中から拡大再生する静止画又は動画を選択し、実行ボタンを押すことにより、その選択した静止画又は動画を画像モニタに拡大表示するようにしている。
【０００４】
また、上記インデックス画像を使用せずに、コマ送りボタン又はコマ戻しボタンを操作することにより、所望の静止画又は動画を画像モニタに表示できるようになっている。尚、コマ送りボタン又はコマ戻しボタンによって動画（動画の最初の１コマ）が選択された場合には、更に実行ボタンを押すことにより、選択された動画のファイルの全コマが動画として再生される。
【発明の開示】
【発明が解決しようとする課題】
【０００５】
しかしながら、１コマ再生時にコマ送りされたコマ画像や、インデックス再生時のインデックス画像では、動画の最初の１コマしか表示されないため、動画の内容を把握することができず、動画再生を希望する動画であるかどうかを判断することができないという問題がある。
【０００６】
一方、コマ送りボタン等によって動画を選択したのち、動画再生の指示により動画の再生を一旦開始させると、その動画が再生を希望した動画でない場合でも動画再生が終了するまで動画再生を中断することができなくなったり、又は中断のスイッチ指示に対して素早く反応できなくなるという問題がある。これは、動画再生中は中央処理装置（ＣＰＵ）の負荷が大きくなるからである。
【０００７】
本発明はこのような事情に鑑みてなされたもので、コマ送り時又はインデックス再生時に動画を表示する際に、その動画の全体の内容が把握できるように表示することができる画像再生装置、画像再生方法、画像記録再生方法及びデジタルカメラを提供することを目的とする。
【課題を解決するための手段】
【０００８】
本発明は前記目的を達成するために、請求項１に係る画像再生装置は、動画が記録されたファイルが格納された記録媒体から任意のファイルを選択する選択手段と、前記選択手段によって選択されたファイルの動画を構成する全コマをｎ等分し、このｎ等分した各コマ群から１コマずつ取り出す手段と、前記ｎ等分した各コマ群から取り出したｎコマの画像を、所定のインターバルで画像モニタに繰り返しコマ送り表示させる第１の表示制御手段と、前記選択手段によって選択されたファイルの動画の再生を指示する指示手段と、前記指示手段によって動画再生が指示されると、前記選択手段によって選択されたファイルに記録された動画を構成する全コマの再生を実行させ、前記動画を前記画像モニタに表示させる第２の表示制御手段と、を備えたことを特徴としている。
【０００９】
即ち、動画を構成する全コマをｎ等分し、このｎ等分した各コマ群から１コマずつ取り出たｎコマの画像を、所定のインターバルで画像モニタに繰り返しコマ送り表示させるようにしたため、動画全体の内容を把握することができる。これにより、通常の動画再生を開始する前に、動画再生を希望する動画であるかどうかを判断することができ、無駄な動画再生を防止することができる。
【００１０】
請求項２に係る画像再生装置は、動画が記録されたファイルが格納された記録媒体から任意のファイルを選択する選択手段と、前記選択手段によって選択されたファイルの動画を構成する全コマから最初の複数コマと最後の複数コマを除いた残りのコマをｎ等分し、このｎ等分した各コマ群から１コマずつ取り出す手段と、前記ｎ等分した各コマ群から取り出したｎコマの画像を、所定のインターバルで画像モニタに繰り返しコマ送り表示させる第１の表示制御手段と、前記選択手段によって選択されたファイルの動画の再生を指示する指示手段と、前記指示手段によって動画再生が指示されると、前記選択手段によって選択されたファイルに記録された動画を構成する全コマの再生を実行させ、前記動画を前記画像モニタに表示させる第２の表示制御手段と、を備えたことを特徴としている。
【００１１】
請求項１に係る発明は、動画を構成する全コマをｎ等分し、このｎ等分した各コマ群から１コマずつ取り出すようにしたが、請求項２に係る発明は、動画を構成する全コマから最初の複数コマと最後の複数コマを除いた残りのコマをｎ等分し、このｎ等分した各コマ群から１コマずつ取り出すようにした点で相違する。これは、動画撮影時にフレームインしたり、ワイプ表現した場合には、最初の１コマは意味をもたず、同様に最後の１コマも意味をもたない場合があるためである。
【００１２】
請求項３に示すように請求項１又は２に記載の画像再生装置において、前記記録媒体には静止画が記録されたファイルも格納され、前記第１の表示制御手段は、前記選択手段によって選択されたファイルが静止画の場合には、該静止画を画像モニタに表示させることを特徴としている。
【００１３】
請求項４に係る画像再生装置は、静止画が記録されたファイルと動画が記録されたファイルとが混在して格納された記録媒体から複数のファイルを選択し、該複数のファイルの静止画又は動画に対応する複数コマからなるインデックス画像の表示を指令するインデックス表示指令手段と、前記選択された複数のファイルに動画のファイルが含まれている場合に、該動画のファイルの動画を構成する全コマをｎ等分し、このｎ等分した各コマ群から１コマずつ取り出す手段と、前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち動画に対応するコマについては、前記ｎ等分した各コマ群から取り出したｎコマの画像を、所定のインターバルで画像モニタに繰り返しコマ送り表示させて動画であることが認識可能に表示させる表示制御手段と、を備えたことを特徴としている。
【００１４】
即ち、静止画又は動画に対応する複数コマからなるインデックス画像上でも、動画のコマについては、動画を代表するｎコマの画像を、所定のインターバルで画像モニタに繰り返しコマ送り表示させることにより各コマが静止画か動画の１コマかを認識できるようにしている。
【００１５】
請求項５に係る画像再生装置は、静止画が記録されたファイルと動画が記録されたファイルとが混在して格納された記録媒体から複数のファイルを選択し、該複数のファイルの静止画又は動画に対応する複数コマからなるインデックス画像の表示を指令するインデックス表示指令手段と、前記選択された複数のファイルに動画のファイルが含まれている場合に、該動画のファイルの動画を構成する全コマから最初の複数コマと最後の複数コマを除いた残りのコマをｎ等分し、このｎ等分した各コマ群から１コマずつ取り出す手段と、前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち動画に対応するコマについては、前記ｎ等分した各コマ群から取り出したｎコマの画像を、所定のインターバルで画像モニタに繰り返しコマ送り表示させて動画であることが認識可能に表示させる表示制御手段と、を備えたことを特徴としている。
【００１６】
請求項６に示すように請求項４又は５に記載の画像再生装置において、前記画像モニタに表示されたインデックス画像上で任意の静止画又は動画のファイルを選択する選択手段と、前記選択手段によって静止画のファイルが選択されると、そのファイルの静止画のみを前記画像モニタに拡大表示し、動画のファイルが選択されると、そのファイルの動画を前記画像モニタに拡大表示させる手段と、を備えたことを特徴としている。
【００１７】
請求項７に示すように請求項１乃至６のいずれかに記載の画像再生装置において、前記ｎコマの画像は、予め作成されて動画のファイルに関連付けて前記記録媒体に記録されていることを特徴としている。
【００１８】
請求項８に係るデジタルカメラは、請求項３乃至７のいずれかに記載の画像再生装置を有し、静止画撮影モード又は動画撮影モードに応じて前記記録媒体に静止画又は動画を記録することを特徴としている。
【００１９】
請求項９に係る画像再生方法は、動画が記録されたファイルを取得する工程と、前記取得したファイルの動画を構成する全コマをｎ等分し、このｎ等分した各コマ群から１コマずつ取り出す工程と、前記ｎ等分した各コマ群から取り出したｎコマの画像を、所定のインターバルで繰り返しコマ送り表示させる工程と、前記所定のインターバルで繰り返しコマ送り表示されている状態で動画再生を指示する工程と、前記動画再生が指示されると、前記取得されたファイルに記録された動画を構成する全コマの再生を実行させ、前記動画を表示させる工程と、を含むことを特徴としている。
【００２０】
請求項１０に係る画像再生方法は、動画が記録されたファイルを取得する工程と、前記取得したファイルの動画を構成する全コマから最初の複数コマと最後の複数コマを除いた残りのコマをｎ等分し、このｎ等分した各コマ群から１コマずつ取り出す工程と、前記ｎ等分した各コマ群から取り出したｎコマの画像を、所定のインターバルで繰り返しコマ送り表示させる工程と、前記所定のインターバルで繰り返しコマ送り表示されている状態で動画再生を指示する工程と、前記動画再生が指示されると、前記取得されたファイルに記録された動画を構成する全コマの再生を実行させ、前記動画を表示させる工程と、を含むことを特徴としている。
【００２１】
請求項１１に示すように請求項９又は１０に記載のする画像再生方法において、静止画が記録されたファイルを取得する工程を含み、前記取得したファイルが静止画の場合には、該静止画を表示させることを特徴としている。
【００２２】
請求項１２に係る画像再生方法は、静止画が記録されたファイルと動画が記録されたファイルとが混在する複数のファイルに基づいて、該複数のファイルの静止画又は動画に対応する複数コマからなるインデックス画像の表示を指令する工程と、前記選択された複数のファイルに動画のファイルが含まれている場合に、該動画のファイルの動画を構成する全コマをｎ等分し、このｎ等分した各コマ群から１コマずつ取り出す工程と、前記インデックス画像の表示が指令されると、前記複数のファイルに基づいて前記インデックス画像を構成し、該インデックス画像を表示させる工程であって、前記インデックス画像を構成する複数コマのうち動画に対応するコマについては、前記ｎ等分した各コマ群から取り出したｎコマの画像を、所定のインターバルで繰り返しコマ送り表示させて動画であることが認識可能に表示させる工程と、を含むことを特徴としている。
【００２３】
請求項１３に係る画像再生方法は、静止画が記録されたファイルと動画が記録されたファイルとが混在する複数のファイルに基づいて、該複数のファイルの静止画又は動画に対応する複数コマからなるインデックス画像の表示を指令する工程と、前記選択された複数のファイルに動画のファイルが含まれている場合に、該動画のファイルの動画を構成する全コマから最初の複数コマと最後の複数コマを除いた残りのコマをｎ等分し、このｎ等分した各コマ群から１コマずつ取り出す工程と、前記インデックス画像の表示が指令されると、前記複数のファイルに基づいて前記インデックス画像を構成し、該インデックス画像を表示させる工程であって、前記インデックス画像を構成する複数コマのうち動画に対応するコマについては、前記ｎ等分した各コマ群から取り出したｎコマの画像を、所定のインターバルで繰り返しコマ送り表示させて動画であることが認識可能に表示させる工程と、を含むことを特徴としている。
【００２４】
請求項１４に示すように請求項１２又は１３に記載の画像再生方法において、前記表示されたインデックス画像上で任意の静止画又は動画のファイルを選択する工程と、前記インデックス画像上で静止画のファイルが選択されると、そのファイルの静止画のみを拡大表示し、動画のファイルが選択されると、そのファイルの動画を拡大表示させる工程と、を含むことを特徴としている。
【００２５】
請求項１５に示すように請求項９乃至１４のいずれかに記載の画像再生方法において、前記ｎコマの画像は、予め作成されて動画のファイルに関連付けて記録されていることを特徴としている。
【００２６】
請求項１６に係る画像記録再生方法は、静止画を撮影する静止画撮影モード又は動画を撮影する動画撮影モードを選択する工程と、前記静止画撮影モードが選択され、かつ撮影指示入力があると、静止画を撮影して静止画が記録されたファイルを生成して記録する工程と、前記動画撮影モードが選択され、かつ撮影指示入力があると、動画を撮影して動画が記録されたファイルを生成して記録する工程と、請求項１１乃至１５のいずれかに記載の画像再生方法と、を含むことを特徴としている。
【発明の効果】
【００２７】
本発明によれば、コマ送り時又はインデックス再生時に画像モニタに表示されるコマ画像の表示形態を静止画と動画とで異ならせ、特に動画を構成する全コマをｎ等分し、このｎ等分した各コマ群から１コマずつ取り出たｎコマの画像（動画の代表画像）を、所定のインターバルで画像モニタに繰り返しコマ送り表示させるようにしたため、動画全体の内容を把握することができる。これにより、動画再生を開始する前に、動画再生を希望する動画であるかどうかを判断することができ、無駄な動画再生を防止することができる。
【発明を実施するための最良の形態】
【００２８】
以下添付図面に従って本発明に係る画像再生装置、画像再生方法、画像記録再生方法及びデジタルカメラの好ましい実施の形態について詳説する。
【００２９】
図１及び図２はそれぞれ本発明に係るデジタルカメラの外観を示す正面図及び背面図である。
【００３０】
これらの図面に示すように、このカメラは動画／静止画の記録再生が可能なデジタルカメラ１であり、カメラ前面には、図１に示すように撮影レンズ１０、ファインダ窓１２、及び補助光発光部１４が設けられている。尚、補助光発光部１４としては、静止画専用のカメラの場合にはストロボ装置が用いられ、動画静止画兼用のカメラの場合には白色の発光ダイオードもしくはランプなどが用いられる。
【００３１】
一方、カメラ背面には、図２に示すように録画（時間）や日付、メモリの残りなどを表示する表示用パネル２０、ファインダ接眼部２２、ズームボタン２４、メニューキー２６、実行キー２８、マルチファンクションの十字キー３０、キャンセルキー３２、画像モニタ３４、及びスピーカ３６が設けられている。
【００３２】
また、カメラ上面には、図１及び図２に示すように電源スイッチ兼モード切換スイッチ４０、及びシャッタボタン／録画開始終了ボタン４２が設けられ、更に図１上のカメラ右側面には、イヤホーンジャック４４及び記録メディア挿入部４６が設けられている。
【００３３】
上記電源スイッチ兼モード切換スイッチ４０は、電源ＯＦＦとなる中立位置と、電源ＯＮ且つ静止画撮影モードとなる位置と、電源ＯＮ且つ動画撮影モードとなる位置と、電源ＯＮ且つ再生モードの４ポジションを切り換える。尚、電源スイッチ兼モード切換スイッチ４０の代わりに電源ＯＮ／ＯＦＦのみのスイッチとし、前記静止画撮影モード、動画撮影モード、及び再生モードは他のモードダイヤル等で切り換えてもよい。
【００３４】
図３は図１及び図２に示したデジタルカメラ１の内部構成を示すブロック図である。このデジタルカメラ１は、撮影レンズ１０、補助光発光部１４、画像モニタ３４、マルチファンクションの十字キー３０、電源スイッチ兼モード切換スイッチ４０等の操作スイッチ群４１、シャッタボタン／録画開始終了ボタン４２、シャッタ・絞り５０、ＣＣＤ等の撮像デバイス５２、アナログ信号処理回路５４、Ａ／Ｄ変換器５６、デジタル信号処理回路５８、メモリ６０、圧縮伸張回路６２、内蔵メモリ又はメモリカード６４、駆動回路６６、及びＣＰＵ（中央処理装置）６８等から構成されている。
【００３５】
ＣＰＵ６８は、操作スイッチ群４１、シャッタボタン／録画開始終了ボタン４２等からの入力信号に基づいてカメラ全体の各回路を統括制御する。いま、電源スイッチ兼モード切換スイッチによって電源がＯＮされ静止画撮影モード又は動画撮影モードが設定されると、シャッタボタン／録画開始終了ボタンの操作に基づいて静止画又は動画の撮影が行われ、一方、再生モードが設定されると、静止画又は動画の再生が行われる。
【００３６】
さて、静止画撮影モード又は動画撮影モード時に撮影レンズ１０、シャッタ・絞り５０を通った光は、撮像デバイス５２の上に焦点を結ぶ。ここで、シャッタは撮像デバイスから信号を読み出すときに光が撮像デバイス５２に入射しスミアが発生するのを防止するものであるが、撮像デバイス５２の構成により必ずしも必要なものではない。また、絞りも単一の絞りのものや、複数の絞りが切り換えできるようなものが考えられる。補助光発光部１４は、低照度時に又は強制的に補助光を発光し、被写体を照明する。補助光発光部１４はストロボ以外の補助光でも良いし、撮像デバイスの感度が高ければ省略することもできる。
【００３７】
撮像デバイス５２は、駆動回路６６内のタイミング発生回路（図示せず）によって発生したタイミングで駆動され、画像信号を出力する。尚、駆動回路６６は、撮影レンズ１０、シャッタ・絞り５０、補助光発光部１４などの駆動回路も含む。
【００３８】
撮像デバイス５２から出力された画像信号は、アナログ信号処理回路５４でアナログ信号処理された後、Ａ／Ｄ変換器５６でデジタル信号に変換されてデジタル信号処理回路５８に加えられ、ここでデジタル処理が施される。デジタル処理された画像データは、メモリ６０に一時的に記録される。ここで、メモリ６０内の画像データを読み出し、画像モニタ３４に出力することにより動画又は静止画を画像モニタ３４に表示させることができる。また、撮影後の画像データは圧縮伸張回路６２で圧縮され、内蔵メモリ又はメモリカード６４に記録される。撮影モードによっては圧縮の過程を省いて記録されることもある。また、再生モード時には内蔵メモリ又はメモリカード６４に記録されている画像データが圧縮伸張回路６２によって伸張処理された後、メモリ６０を介して画像モニタ３４に出力され、画像モニタ３４に再生画像が表示されるようになっている。
【００３９】
上記構成のデジタルカメラ１において、静止画撮影モードが選択され、シャッタボタン／録画開始終了ボタン４２が押下されると、１コマ分の画像が撮影され、その画像（静止画）にファイル名が付されて内蔵メモリ又はメモリカード６４に記録される。一方、動画撮影モードが選択され、シャッタボタン／録画開始終了ボタン４２が押下されると、再びシャッタボタン／録画開始終了ボタン４２が押下されるまでの期間、所定のフレームレートで画像が連続撮影され、その連続画像（動画）にファイル名が付されて内蔵メモリ又はメモリカード６４に記録される。
【００４０】
尚、上記静止画が記録されたファイル及び動画が記録されたファイルは、静止画か動画にかかわらず撮影順にホルダーに格納される。また、動画撮影モード時には、図示しない音声録音手段によって音声も同時に記録でき、後述する再生モード時には音声付き動画として再生できるようになっている。
【００４１】
次に、上記内蔵メモリ又はメモリカード６４に記録された静止画や動画等を再生する場合について説明する。
【００４２】
再生モードによる画像再生には、１コマ再生と、複数コマ（この実施の形態では４コマ）からなるインデックス画像を再生するインデックス再生と、１コマ再生時又はインデックス再生時に動画の１コマが表示された状態で、動画の再生が指示された場合に行われる動画再生とがある。尚、１コマ再生でのコマ送り時又はインデックス再生時に表示される動画の１コマとしては、動画の最初の１コマあるいは動画全体の長さの約１／２に位置する１コマが考えられる。
【００４３】
さて、再生モードが選択されると、自動的に１コマ再生となり、最初のファイルの１コマが選択され画像モニタ３４に再生される。尚、最後のファイルの１コマを画像モニタ３４に再生させてもよい。ここで、別のコマの１コマ再生を行う場合には、マルチファンクションの十字キー３０の左／右キーでコマ送りする。これにより、再生画が順次コマ送りされる。
【００４４】
また、インデックス再生が指示されると、４コマからなるインデックス画像が表示される。このインデックス画像上で、十字キー３０の上／下キー及び左／右キーで、再生したいコマを選択することができる。尚、選択されたコマは、縁取りがされ、他のコマと区別される。また、インデックス画像の範囲を越えて十字キー３０の上／下キー及び左／右キーが操作されると、インデックス画面が切り換えられる。
【００４５】
前述したように静止画が記録されたファイルと動画が記録されたファイルとは、撮影順に応じて混在して内蔵メモリ又はメモリカード６４に格納されており、上記１コマ再生では、コマ送り時に静止画や動画の１コマとが混在して表示される。同様に、インデックス再生では、インデックス画像中に静止画と動画の１コマとが混在して表示される場合がある。
【００４６】
そこで、１コマ再生又はインデックス再生時に静止画と動画の１コマとが直観的に区別できるように両者の表示形態を変えて表示するようにしている。
【００４７】
図４乃至図６はそれぞれインデックス再生時に静止画と動画との表示形態を変えて表示されたインデックス画像を示す図である。
【００４８】
図４に示す実施の形態では、インデックス画像中の静止画の画像７０は、写真を連想させるように白枠付きの画像として表示され、一方、動画の１コマの画像７２は、映画のフイルムを連想させるように１コマの左右両端にパーフォレーション７２Ａが合成された画像として表示される。これにより、インデックス画像中の各コマが静止画であるか、又は動画の１コマであるかを直観的に認識できるようにしている。
【００４９】
図５に示す実施の形態では、インデックス画像中の静止画の画像７０は、図４の場合と同様に白枠付きの画像として表示され、一方、動画を示す画像７４は、画像に動きが生じるように動画を構成する数コマが繰り返し再生されている。尚、上記動画を構成する数コマは、動画の連続するコマに限らず、動きを強調するために比較的時間の離れたコマとしてもよい。
【００５０】
図６に示す実施の形態では、インデックス画像中の静止画の画像７６及び動画の１コマの画像７８は、それぞれ白枠なしの画像として表示されているが、動画の１コマの画像７８は、縦に振動するように表示されている。この振動は、ランダムに振動させると壊れているような印象を与えかねないので、８ミリなどの昔のフイルムを再生するときのように、細かく縦に振動させたり、時々大きく縦に振動させて動きに雰囲気を出すようにしてもよい。このように画面を振動させることにより、動画の１コマであることが認識できるようにしている。
【００５１】
尚、図４の動画の１コマの画像７２に合成したパーフォレーション７２Ａを、図５の動画を示す画像７４や図６の動画の１コマの画像７８に合成するようにしてもよく、また、この場合にパーフォレーションが縦に動くようにしてもよい。
【００５２】
上記図４乃至図６では、それぞれインデックス画像上での静止画と動画の表示形態を示したが、１コマ再生時でも静止画と動画の１コマとが認識できるように上記のように静止画と動画とで表示形態を変えて表示される。
【００５３】
また、１コマ再生時に静止画は１コマを表示し、動画は図７に示すように４画面マルチ画像の表示としてもよい。これによれば、１コマ再生時のコマ送り時に１コマが表示される場合には静止画、４画面マルチ画像が表示される場合には動画（動画中の４コマ）であることが認識できる。
【００５４】
次に、動画を示す４画面マルチ画像の場合について説明する。
【００５５】
この４画面マルチ画像は、図７に示すように動画を構成する全コマのうちの撮影の最初の方のコマ画像８０Ａ、中間のコマ画像８０Ｂ、８０Ｃ、及び最後の方のコマ画像８０Ｄから構成されている。
【００５６】
例えば、動画が４００コマから構成されている場合には、４００コマを４分割した１〜１００コマ、１０１〜２００コマ、２０１〜３００コマ、及び３０１〜４００コマの各コマ群からそれぞれ１コマずつ選択し、この選択した４コマから４画面マルチ画像を構成する。
【００５７】
このように動画に関連する４画面マルチ画像を４コマ漫画のように表示することにより、動画再生する前に動画全体の内容を把握することができる。
【００５８】
尚、この実施の形態では、４画面マルチ画像について説明したが、マルチ画面を構成するコマ数は４コマに限定されず、例えば、９画面マルチ画像としてもよい。この場合、９画面マルチ画像は、動画を構成する全コマを９等分し、９等分した各コマ群から１コマずつ取り出して構成する。
【００５９】
また、動画撮影時にフレームインしたり、ワイプ表現した場合には、最初の１コマは意味をもたず、同様に最後の１コマも意味をもたない場合があるため、動画を構成する全コマから最初の複数コマ及び最後の複数コマを除いたコマからマルチ画像を構成してもよい。尚、上記マルチ画像は、予め作成しておき、その動画のファイルに関連付けて記録しておいてもよい。
【００６０】
更に、この実施の形態では、動画の全コマから適宜抽出した複数コマに基づいてマルチ画像を構成し、そのマルチ画像を表示するようにしたが、これに限らず、複数コマを所定のインターバルで繰り返しコマ送り表示するようにしてもよい。特に、インデックス再生時における１コマは小さいため、その１コマ内に複数コマをマルチ画面で表示するよりも順次表示する方が好ましい。
【００６１】
次に、図８に示すフローチャートを参照しながら静止画及び動画の画像再生の手順について説明する。
【００６２】
図８に示すように、再生モードが選択されて再生モードが開始されると（ステップＳ１０）、前述したように自動的に１コマ再生となり、内蔵メモリ又はメモリカード６４内の最初のファイル（最初のコマ）が選択される（ステップＳ１２）。
【００６３】
選択されたファイルが静止画のファイルか動画のファイルかを自動判別し（ステップＳ１４）、静止画のファイルの場合には、そのファイルの画像データに基づいて静止画を画像モニタ３４に表示させる（ステップＳ１６）。その後、マルチファンクションの十字キー３０の左／右キーの操作により、次のコマを表示させるか、前のコマを表示させるかが選択される（ステップＳ１８）。そして、十字キー３０の右キーが操作されると、次のファイル（次のコマ）が選択された後（ステップＳ２０）、ステップＳ１４に戻り、十字キー３０の左キーが操作されると、前のファイル（前のコマ）が選択された後（ステップＳ２２）、ステップＳ１４に戻る。
【００６４】
一方、選択されたファイルが動画のファイルの場合には、そのファイルの画像データに基づいて動画の一部を再生する（ステップＳ２４）。この動画の一部再生により、動画の１コマにパーフォレーションが合成されて表示され（図４の画像７２参照）、又は動画を構成する数コマが繰り返し表示され（図５の画像７４参照）、又は動画の１コマが縦に振動するように表示され（図６の画像７８参照）、又は動画中の４コマが４画面マルチ画像で表示される（図７参照）。
【００６５】
ステップＳ２４での動画の一部再生に基づいて、ユーザーはその一部再生された動画の全コマを再生させる動画再生を行うか、動画再生せずにコマ送りするかを選択する（ステップＳ２６）。そして、動画再生が選択指示されると、選択された動画ファイルの画像データに基づいて動画の最初から最後まで連続再生する（ステップＳ２８）。その後、ステップＳ３０で、再度動画再生を行うか、コマ送りするかを選択される。
【００６６】
ステップＳ２６又はステップＳ３０において、十字キー３０の右キーが操作されると、次のコマが選択された後（ステップＳ２０）、ステップＳ１４に戻り、十字キー３０の左キーが操作されると、前のコマが選択された後（ステップＳ２２）、ステップＳ１４に戻る。
【００６７】
尚、ステップＳ２４で動画の一部再生を行ったのち、動画再生の指示入力があった場合のみ動画再生させるようにしたのは、再生を希望する動画のみを選択的に動画再生できるようにするためである。また、動画再生が一旦開始されると、ＣＰＵの負荷が大きくなり、動画再生の中断のスイッチ指示を素早く反映させることができなくなり、動画再生が終了するまでコマ送りができなくなる等の不具合があるからである。
【００６８】
次に、図９に示すフローチャートを参照しながら静止画及び動画の画像再生の手順について説明する。尚、図８に示すフローチャートと共通する部分には同一のステップ番号を付し、その詳細な説明は省略する。
【００６９】
図９に示すフローチャートは、図８のフローチャートのステップＳ２８の代わりに、ステップＳ４０、Ｓ４２、Ｓ４４が設けられている点で相違する。
【００７０】
図１等に示したデジタルカメラ１は、動画撮影時に音声付き動画として内蔵メモリ又はメモリカード６４に記録するようにしている。図９のステップＳ４０、Ｓ４２、Ｓ４４では、内蔵メモリ又はメモリカード６４に記録された音声付き動画の再生時に、音声付き動画再生と音声無し動画再生とを適宜選択できるようにしている。
【００７１】
即ち、デジタルカメラ１は、動画再生する際に音声付き動画再生か音声無し動画再生かを選択する選択手段を有している。この選択手段としては、図２に示すマルチファンクションの十字キー３０の上／下キーが対応している。
【００７２】
さて、ステップＳ２４での動画の一部再生状態で、十字キー３０の上キーが操作されると、音声付き動画再生が選択され（ステップＳ２６、ステップＳ４０）、動画が画像モニタ３４に表示されるとともに、スピーカ３６から音声が発生される（ステップＳ４２）。一方、ステップＳ２４での動画の一部再生状態で、十字キー３０の下キーが操作されると、音声無し動画再生が選択され（ステップＳ２６、ステップＳ４０）、動画が画像モニタ３４に表示されるが、音声の再生は禁止される（ステップＳ４４）。
【００７３】
尚、この実施の形態では、マルチファンクションの十字キー３０の上／下キーによって音声付き動画再生と音声無し動画再生を選択するようにしたが、専用の選択スイッチを設けてもよく、また、音声を再生させるか否かを選択する選択スイッチと、動画を再生させるか否かを選択する選択スイッチとを別々に設けるようにしてもよい。更に、静止画撮影モード時にも音声が記録でき、静止画の１コマ再生時に音声を再生できる場合にも、音声付き静止画と音声無し静止画とを選択できるようにしてもよい。
【００７４】
また、この実施の形態では、デジタルカメラについて説明したが、デジタルカメラに限らず、上述した画像再生機能を有する画像再生装置、又は該画像再生装置を含む装置であれば、如何なる装置でもよい。
【図面の簡単な説明】
【００７５】
【図１】本発明に係るデジタルカメラの外観を示す正面図
【図２】図１に示したデジタルカメラの背面図
【図３】図１に示したデジタルカメラの内部構成を示すブロック図
【図４】インデックス再生時に静止画と動画との表示形態を変えて表示したインデックス画像の一例を示す図
【図５】インデックス再生時に静止画と動画との表示形態を変えて表示したインデックス画像の他の例を示す図
【図６】インデックス再生時に静止画と動画との表示形態を変えて表示したインデックス画像の更に他の例を示す図
【図７】コマ送り再生時に動画を４画面マルチ画像で表示した図
【図８】静止画及び動画の画像再生の手順の一例を示すフローチャート
【図９】静止画及び動画の画像再生の手順の他の例を示すフローチャート
【符号の説明】
【００７６】
１…デジタルカメラ、１０…撮影レンズ、３０…マルチファンクションの十字キー、３４…画像モニタ、３６…スピーカ、４０…電源スイッチ兼モード切換スイッチ、４２…シャッタボタン／録画開始終了ボタン、４４…イヤホーンジャック、４６…記録メディア挿入部、５２…撮像デバイス、５４…アナログ信号処理回路、５８…デジタル信号処理回路、６４…内蔵メモリ又はメモリカード、６８…ＣＰＵ（中央処理装置）、７０、７６…静止画の画像、７２、７８…動画の１コマの画像、７２Ａ…パーフォレーション、７４…動画を示す画像、８０Ａ〜８０Ｄ…動画を示す４画面マルチ画像の各コマ画像
【図１】
2008017500.tif 000003
【図２】
2008017500.tif 000004
【図３】
2008017500.tif 000005
【図４】
2008017500.tif 000006
【図５】
2008017500.tif 000007
【図６】
2008017500.tif 000008
【図７】
2008017500.tif 000009
【図８】
2008017500.tif 000010
【図９】
2008017500.tif 000011